(57)【要約】【課題】  屋根工事等に用いる長尺の梯子の上端を確実に支持する転倒防止器具を提案する。【解決手段】  固定手段を介して梯子Ｌに装着する基板１０と、基板にスライド可能に取り付けた可動板２０とを備え、可動板の上端部に、屋根の端縁上面に当接可能な折曲部２２を設ける一方、基板に縦孔１１を、可動板に横孔２７を設け、縦孔と横孔にネジを挿通することによって、基板に対して可動板を角度調整可能に固定する。基板１０を梯子Ｌの上部に固定し、基板に対して角度調整可能にスライドする可動板２０によって屋根の端縁上面を抑える。【選択図】    図４
2007031981.tif 000002
【特許請求の範囲】
【請求項１】
固定手段を介して梯子に装着する基板と、
この基板に、スライド可能に取り付けた可動板とを備え、
可動板の上端部に、屋根の端縁上面に当接可能な折曲部を設ける一方、
基板に縦孔を設けるとともに可動板に横孔を設け、この縦孔と横孔にネジを挿通配置し、基板に対して可動板を角度調整可能に固定することを特徴とする梯子の転倒防止器具。
【請求項２】
屋根の端縁を下方から支持する左右一対の固定支持部を備えることを特徴とする請求項１記載の梯子の転倒防止器具。
【請求項３】
固定支持部は、
可動板の上部の折曲部に側面略Ｊ字または側面略Ｌ字状のネジ部材を取り付け、
折曲部によって屋根の端縁上面を抑えつつ、前記ネジ部材の先端部で屋根の端縁下面を抑えることを特徴とする請求項２記載の梯子の転倒防止器具。
【発明の詳細な説明】
【技術分野】
【０００１】
本発明は、梯子の転倒を防止する器具に関する。
【背景技術】
【０００２】
梯子、とくにアルミ梯子は、軽量であり伸縮自由な構造のものが多数あるため、各種の屋根工事等に使用される。しかし軽量であるため、上方に体重がかかったときや、体重移動があったときに梯子の転倒事故が起きやすい。
【０００３】
このため、従来から梯子の転倒を防止する各種の提案がなされている。例えば、特開２００５−１３９８１２号公報、あるいは特開２００３−０１３６８２号公報には、梯子の下端部を支持することによって転倒を防止させる器具が提案されている。
【特許文献１】特開２００５−１３９８１２
【特許文献２】特開２００３−０１３６８２
【発明の開示】
【発明が解決しようとする課題】
【０００４】
問題は、屋根工事等で用いる長尺のアルミ梯子の場合には、梯子の下端部に転倒防止用の器具を配置すると、器具が大型化しやすい点にある。
【０００５】
屋根工事に用いるような長尺のアルミ梯子における転倒事故は、作業員が梯子を降りるときの体重負荷時や体重移動時に起こりやすいのであるが、前記の特許文献１や特許文献２の発明のように、梯子の下端部に転倒防止の器具を配する構造では、梯子の上端部が揺れ動く可能性があるため、作業員は心理的にも恐怖を感じるし、力のモーメントを考えると下端部における支持機材はかなり大型化しなければ十分な安定を得にくい。
【０００６】
そこで、本発明の目的は、屋根工事等に用いる長尺の梯子の上端を確実に支持することのできる転倒防止器具を提案することにある。
【課題を解決するための手段】
【０００７】
前記目的を達成するため、本発明に係る梯子の転倒防止器具は、固定手段を介して梯子に装着する基板と、この基板にスライド可能に取り付けた可動板とを備え、可動板の上端部に、屋根の端縁上面に当接可能な折曲部を設ける一方、基板に縦孔を、可動板に横孔を設け、縦孔と横孔にネジを挿通することによって、基板に対して可動板を角度調整可能に固定する（請求項１）。
【０００８】
かかる構成によれば、基板を梯子の上部に固定し、基板に対して角度調整可能にスライドする可動板によって屋根の端縁上面を抑えることが出来る。屋根の勾配に対する梯子の設置位置や屋根の角度によって、屋根の端縁上面を抑える可動板の角度を調整すれば、梯子を妻面に置いても破風面に置いても、いずれの場合でも可動板が屋根の端面上面を上から抑える。
【０００９】
この請求項１の場合、転倒防止器具と屋根の端縁上面は、可動板の折曲部の当接によって接触抵抗をもち梯子の転倒を防止するが、転倒防止器具と屋根との固定の確実性をさらに高める必要があるときは、適宜の固定支持手段を採用することが望ましい。固定支持手段は、請求項２のように転倒防止器具に設けても良いし、あるいは、複数個の磁石を屋根の金属板に固定し、当該磁石と転倒防止器具とを紐や金属線等を介して連絡してもよい。
【００１０】
請求項２は、転倒防止器具と屋根との接続状態を良好にするもので、屋根の端縁を下方から支持する左右一対の固定支持部を、転倒防止器具に配することを特徴とする。
【００１１】
かかる構成によれば、角度調整可能な可動板の折曲部による屋根端縁の上面の押圧だけでなく、固定支持部を介して屋根の端縁を挟むことにより、転倒防止器具と屋根との連結ないし接続の状態（固定状態）を強固に出来る。固定支持部は左右一対として設けることにより、梯子の上部のバランス安定を高めることが出来る。
【００１２】
請求項３は、屋根の端縁を挟む左右一対の固定支持部を、可動板の上部の折曲部に側面略Ｊ字または側面略Ｌ字状のネジ部材として設けるものである。
【００１３】
請求項２に記載した固定支持部の構造はとくに限定されないが、最も簡単でコストを低減するには、側面略Ｊ字または側面略Ｌ字状のネジ部材を用いて、ネジ部材の先端部で屋根の端縁下面を抑えることが好ましいからである。
【００１４】
なお、請求項３では、側面略Ｊ字または側面略Ｌ字状のネジ部材を可動板に配するとしてあるが、屋根の端縁を折曲部と相俟って挟む左右一対の固定支持部は、転倒防止器具に配するので（請求項２）、基板側に配しても良いことは勿論である。
【発明の効果】
【００１５】
本発明に係る転倒防止器具によれば、梯子の上部に基板を固定した後、可動板をスライド調整し、折曲部を使って屋根の端縁の上面を上からしっかりと抑えることにより、梯子のぐらつきを防止することが出来る。折曲部の裏面には、抵抗を増大させるためにゴム等の弾性樹脂を配しておくことが望ましい。屋根の端縁の傷つきも防止できる。
【発明を実施するための最良の形態】
【００１６】
図１は、本発明に係る梯子の転倒防止器具を例示するものである。この転倒防止器具は、梯子、例えばアルミ梯子Ｌの上部に固定する基板１０と、この基板１０にスライド可能に固定する可動板２０とによって構成し、可動板２０の上部に設けた折曲部２２によって、屋根Ｒの端縁上面を上から抑えるようになっている。
【００１７】
基板１０は、立てかけたアルミ梯子Ｌの例えば裏面側に固定し、可動板２０は、基板１０の内側（屋根側）に配置する。ちなみに、アルミ梯子Ｌを、屋根Ｒの平（ひら）側に立てかけるときは、図２に示すように基板１０に対して可動板２０を傾斜させる必要はない。しかし工事の都合により、アルミ梯子Ｌを屋根Ｒの妻（つま）側に立てかけるときは、図３に示すように基板１０に対して可動板２０を傾斜させる。
【００１８】
図４は、基板１０と可動板２０の具体的な形状を例示するものである。基板１０おとび可動板２０は、軽量で錆びにくいアルミ等の難錆金属または硬質樹脂を用いて成形することが望ましい。
【００１９】
アルミ梯子Ｌに固定する基板１０は、例えば横長の略長方形を呈するように成形する。横幅は、アルミ梯子Ｌの左右の縦材に固定できるよう、少なくとも、アルミ梯子Ｌの左右幅以上の寸法とする。
【００２０】
可動板２０も、基板１０と同様に横長の略長方形を呈するように成形することが望ましい。可動板２０の左右幅は、基板１０よりも小さくても構わない。しかし、屋根Ｒの端縁上面を上から抑える機能性を高めるためには、好ましくは、基板１０の左右幅と同一ないしそれ以上とする。屈曲部２２の面積を大きくして、屋根Ｒの端縁上面を上から抑えるグリップ力を増大させるためである。
【００２１】
基板１０は、左右に、アルミ梯子Ｌの縦材に対して固定を行うためのネジ孔１９を備えており、このネジ孔１９の内側の位置に、左右一対の縦孔１１を備えている。ネジ孔１９は、アルミ梯子Ｌの縦材にネジを打ち込むためのものであるから、その離隔距離は、アルミ梯子Ｌの縦材の横幅に合わせて設定する。
【００２２】
基板１０に設けた左右一対の縦孔１１は、可動板２０の上下方向の移動を許容するためのものである。可動板２０の上下の移動距離は、通常、３〜８ｃｍを見込めば実用に耐えるので、縦孔１１の上下寸法は若干の余裕をもって、例えば、５〜１０ｃｍとする。
【００２３】
一方、可動板２０には、基板１０の縦孔１１に対応させた左右一対の横孔２７を設ける。基板１０の縦孔１１と可動板２０の横孔２７にネジ（例えば蝶ネジ）２８を挿通して、可動板２０を基板１０に対して角度調節可能に固定するためである。
【００２４】
基板１０には縦孔１１があるので、可動板２０は、基板１０に対して上下方向に移動可能であり、かつ、可動板２０には横孔２７があるので、基板１０に接触させた状態で、可動板２０の傾斜角度を自由に設定し、ネジ２８を介して固定することが出来る。
【００２５】
基板１０に縦孔１１を設け、可動板２０に横孔２７を設けるのは、屋根Ｒの傾斜にあわせて可動板２０を傾斜させると、基板１０と可動板２０とを固定する左右一対のネジ２８の離隔距離が変わるためである。可動板２０のネジ孔（２７）を円孔にしたのでは、可動板２０の傾斜に伴うネジ２８の距離変動を吸収できない。これに対して、可動板２０に横孔２７を設けておけば、可動板２０は好ましい角度に調整できるし、基板１０の取り付け位置に若干の誤差があっても、誤差を吸収して折曲部２２によって屋根Ｒの端縁上面を隙間なく抑えることが出来る。横孔２７の長手方向の寸法は、例えば、５ｃｍ程度とすることが望ましい。また、可動板２０と屋根Ｒの端縁の接触による屋根Ｒの金属板の損傷を防止するため、可動板２０の裏面、とくに折曲部２２の裏面や横孔２７の近傍には、ゴムや発泡樹脂材等のクッション材２９を設けることが望ましい。
【００２６】
折曲部２２は、出来るだけ左右寸法を大きくして、屋根Ｒの端縁を抑える能力を高めることが望ましい。このため、本実施形態においては、中央および左右に三つの折曲部２２を設けてある。アルミ梯子Ｌの縦材の内側に位置する中央の折曲部２２（Ｃ）が最も左右幅が大きく、アルミ梯子Ｌの縦材の外側に位置する左右の折曲部２２（Ｒ）、２２（Ｌ）はそれよりも左右幅を小さくしてある。可動板２０の左右寸法をコンパクトにしつつ、三点支持によって高いグリップ性能を保証するためである。中央の折曲部２２（Ｃ）と左右の折曲部２２（Ｒ）、２２（Ｌ）との間の凹部Ｖは、転倒防止器具の軽量化に貢献する。
【００２７】
折曲部２２の前後方向への折曲角度は、切妻等の傾斜屋根の角度（例えば２０〜４０度）に合わせて設定する。屋根の傾斜角度は、降雪量や伝統的な様式に従うので一概にはいえないが、可動板２０の一般面に対する折曲部２２の角度は、例えば２０〜３５度とする。
【００２８】
この実施形態では、可動板２０と屋根Ｒの端縁との連絡強度を高めるため、左右の折曲部２２（Ｒ）、２２（Ｌ）に、略Ｊ字状のネジ部材３０を設け、この先端部で屋根Ｒの端縁の下面を抑えるようにしてある。折曲部２２の当接面積が十分に大きければ、このようなネジ部材３０は必要はないこともある。しかしながら、簡単な構造でアルミ梯子Ｌの揺れを確実に防止するためには、ネジ部材３０を用いた屋根Ｒの下方からの支持は有効である。屋根Ｒがトタン屋根の場合は、例えば強力な磁石等を用いても転倒防止器具と屋根Ｒとを連結できるが、降雪時のように、磁石が使いにくい時期もあるので、略Ｊ字または略Ｌ字のネジ部材３０を用いて、転倒防止器具と屋根Ｒとを強固に連結することが望ましい。
【００２９】
従って、かかる転倒防止器具によれば、アルミ梯子Ｌに基板１０をネジ等によって固定した後、可動板２０を上下にスライドさせ、必要があるときは屋根Ｒの傾斜に合わせて可動板２０の傾斜角度を設定し、ネジ２８を締めて可動板２０を固定することにより、アルミ梯子Ｌの上部と屋根Ｒとを密に連絡し、アルミ梯子Ｌの揺れ動きを抑えて転倒事故の発生を防止することが出来る。
【００３０】
基板１０には縦孔１１、可動板２０には横孔２７を備えるので、可動板２０は自由な角度調整機能をもち、折曲部２２の裏面が屋根Ｒの端縁上面にフィットして、アルミ梯子Ｌの上部の左右の揺れ動きを確実に防止する。
【００３１】
本発明に係る転倒防止器具は、以上の実施形態に限定されない。例えば、基板１０および可動板２０の形状は必ずしも長方形とする必要はない。基板１０をアルミ梯子Ｌに固定するときは、ネジ止めに限らず、例えばアルミ梯子Ｌの縦材を抱持するホルダ部材や、アルミ梯子Ｌの横材に固定するフランジあるいは横材を抱持するホルダ部材等を用いてもよい。
【００３２】
基板１０に設ける縦孔１１と、可動板２０に設ける横孔２７は、左右一対である必要はない。例えば中央箇所に縦孔（１１）と横孔（２７）をひとつ設けるだけでも、締め付け強度の高いネジを用いる限り、可動板２０の角度調整等、転倒防止器具としての機能を果たすからである。可動板２０の上部に設ける折曲部２２は、凹部（Ｖ）をもたず、左右に連続する構造としてもよい。
【００３３】
屋根Ｒの端縁を下方から支持する固定支持部は、Ｊ字状のネジやＬ字状のネジに限らない。例えば、図５に示すように、可動板２０の両側に縦孔４０を設け、この縦孔４０に、蝶ネジ４１と支持板４３によって構成した支持部材４８を配しても良い。支持部材４８は、支持板４３の折曲部４４によって屋根Ｒの端縁を下方から支持する。４２は、蝶ネジの脚部である。この脚部４２は、支持板４３の略中央を貫いて、例えば進退自在に螺合させる。
【００３４】
可動板２０の折曲部２２にＪ字状またはＬ字状のネジ部材３０を配する場合に較べ、可動板２０の両側に縦孔４０を設けて支持板４３を固定すると、屋根Ｒの端縁上部を抑える可動板２０の折曲部２２にネジを挿通させなくてもよいため、ネジ止めに要する作業効率が高まる。また、支持板４３の折曲部４４の面積を大きく設計できるため、屋根Ｒの端縁の下方支持の効果を高め、アルミ梯子Ｌの転倒防止効果を向上させることが出来る。なお、固定支持部は屋根の端縁の下面を支持するものであれば良いので、屋根の上面を抑える折曲部と一体化したクリップ構造としてもよい。
【図面の簡単な説明】
【００３５】
【図１】本発明に係る転倒防止器具の取り付け状態を側面から例示する図である。
【図２】本発明に係る転倒防止器具を平側に配置する場合を例示する図である。
【図３】本発明に係る転倒防止器具を妻側に配置する場合を例示する図である。
【図４】本発明に係る基板と可動板を例示する図である。
【図５】本発明に係る固定支持部の他の実施形態を示す図である。
【符号の説明】
【００３６】
１０  基板
１１  縦孔
１９  ネジ孔
２０  可動板
２２  折曲部
２７  横孔
２８  ネジ
２９  クッション材
３０  ネジ部材（固定支持部）
４０  縦孔
４１  蝶ネジ
４２  蝶ネジの脚部
４３  支持板
４４  （支持板の）折曲部
Ｌ  アルミ梯子
Ｒ  屋根
【図１】
2007031981.tif 000003
【図２】
2007031981.tif 000004
【図３】
2007031981.tif 000005
【図４】
2007031981.tif 000006
【図５】
2007031981.tif 000007